(57)【要約】本発明は、医療用注入装置に関するものであって、振動を与えて、注入液入りのコンテナとコンテナ内に備えられた撹拌手段とを揺動させて注入液を攪拌するようにすることにより、注入液中に含まれている目的物質が十分に攪拌された状態で均一な濃度をもって注入できるように誘導して、目的物質の濃度不均一により発生するおそれのある致命的な医療事故を前もって防止することができるようにし、特に、注入液水位調節管を介してコンテナとフィルターおよび／または膨張管を互いに連結して、これらの内部に満たされた注入液の水位および注入液の注入速度をさらに自由に調節することができるようにし、特にフィルターの内部で沈降性濾過過程を経るように注入液がフィルターの内部を所定の水位以上に満たした状態で注入が行われるように誘導することにより、幹細胞などの目的物質が注入液濾過材などによる損傷なしに安定的に濾過されて注入できるという効果を奏する。【選択図】図１
2019517897.tif 000002
【特許請求の範囲】
【請求項１】
内部に注入液を込めるための内部収容空間を有し、下部に注入液流出ポートが形成されるコンテナと、
前記コンテナの前記注入液流出ポートに延長結合され、前記注入液流出ポートを介して排出された注入液を濾過する注入液濾過フィルターと、
前記注入液濾過フィルターの下部に延長連結され、濾過排出された前記注入液を注入するための移動流路を提供するガイドチューブと、
外部の空気が流出入する開度を調整可能な状態で前記コンテナの上部に形成された第１水位調節ポートと前記注入液濾過フィルターの上部に形成された第２水位調節ポートとを互いに連通するように連結する注入液水位調節管とを含む、医療用注入装置。
【請求項２】
前記注入液水位調節管は、
分岐し、前記第１水位調節ポートと前記第２水位調節ポートとを連結する分岐連結管と、
前記分岐連結管に延長結合され、スリット状の空気入出孔が形成されるスリットアダプターと、
前記スリットアダプターに結合され、前記空気入出孔の開度を調節する空気調節栓とを含む、請求項１に記載の医療用注入装置。
【請求項３】
前記分岐連結管は、
前記第１水位調節ポートと前記スリットアダプターとを連結する連結管部から、前記第２水位調節ポートを連結するように第１分岐管部が延長形成される分岐管と、
前記分岐管の第１分岐管部と前記フィルターの第２水位調節ポートとを連結する第１連結チューブとを含む、請求項２に記載の医療用注入装置。
【請求項４】
前記第１連結チューブは、柔軟性材質からなり、
前記連結チューブ上に備えられ、前記連結チューブを加圧して内部流路の断面積の大きさを調節する第１連結チューブクランプをさらに含む、請求項３に記載の医療用注入装置。
【請求項５】
前記スリットアダプターと前記分岐連結管との間を連結する空気濾過フィルターがさらに備えられ、
前記空気濾過フィルターは、
内部濾過空間を形成するフィルターハウジングと、
前記フィルターハウジング内に設置され、前記空気入出孔を介して流入する空気を濾過させる空気濾過材とを含む、請求項２に記載の医療用注入装置。
【請求項６】
前記スリットアダプターは前記空気濾過フィルターと一体に形成される、請求項５に記載の医療用注入装置。
【請求項７】
前記コンテナの内部に備えられ、前記コンテナに振動が発生すると、揺動して内部の注入液を攪拌する攪拌手段をさらに含む、請求項１に記載の医療用注入装置。
【請求項８】
前記攪拌手段は、
前記コンテナの上側に掛止され、自由運動可能に固定される第１攪拌体と、
前記第１攪拌体の下端部に自由運動可能に連結される第２攪拌体とを含み、
前記第１攪拌体は下部が上部よりもさらに重く、前記第２攪拌体は上部が下部よりもさらに重く形成される、請求項７に記載の医療用注入装置。
【請求項９】
前記第１攪拌体と前記第２攪拌体は、棒の上端部と下端部にそれぞれ螺旋状に屈曲するように連結環が形成され、
前記第２攪拌体の上部連結環が前記第１攪拌体の下部連結環に掛かって延長結合され、
前記第１攪拌体の下部環は上部環よりもさらに大きく、前記第２攪拌体の上部環は下部環よりもさらに大きいことを特徴とする、請求項８に記載の医療用注入装置。
【請求項１０】
前記コンテナは、下部が前記注入液流出ポートに向かって断面縮小部を成すように形成され、
前記断面縮小部内に収納され、前記コンテナの振動有無に応じて前記注入液流出ポートを開閉する振動感知栓をさらに含む、請求項７に記載の医療用注入装置。
【請求項１１】
前記振動感知栓は、前記攪拌手段の下部に連結紐を介して連動可能に連結される、請求項１０に記載の医療用注入装置。
【請求項１２】
前記振動感知栓は、下部の重量が上部の重量よりもさらに大きく、少なくとも下部は注入液流出ポートを閉鎖するように曲面部からなる、請求項１０に記載の医療用注入装置。
【請求項１３】
前記コンテナと注入液濾過フィルターとの間を連結し、長さ方向の中心部に内部流路の断面積が拡張された膨張管と、
前記膨張管の内部に収納設置され、前記コンテナの振動有無に応じて、前記注入液濾過フィルターに連結される下部注入液流路を開閉する振動感知栓とをさらに含む、請求項７に記載の医療用注入装置。
【請求項１４】
前記注入液水位調節管は、前記膨張管の上部に形成された第３水位調節ポートをさらに連結するように形成される、請求項１３に記載の医療用注入装置。
【請求項１５】
前記注入液水位調節管は、
下端部が分岐し、前記第１水位調節ポート、前記第２水位調節ポートおよび前記第３水位調節ポートを連結する分岐連結管と、
前記分岐連結管の上側開放上端部に延長結合されるスリットアダプターと、
前記スリットアダプターの空気流入スリット形成端部に結合され、前記空気流入スリットの開度を調節するように締結される空気調節栓とを含む、請求項１４に記載の医療用注入装置。
【請求項１６】
前記分岐連結管は、
前記第１水位調節ポートと前記スリットアダプターとを連結する連結管部から、前記第２水位調節ポートおよび前記第３水位調節ポートを連結するように第２分岐管部が延長形成される分岐管と、
前記第２分岐管部の第１分岐端部と前記第２水位調節ポートとを連結する第１連結チューブと、
前記第２分岐管部の第２分岐端部と前記第３水位調節ポートとを連結する第２連結チューブとを含む、請求項１５に記載の医療用注入装置。
【請求項１７】
前記第１連結チューブおよび前記第２連結チューブは、柔軟性材質からなり、
前記第１連結チューブ上にそれぞれ備えられ、前記第１連結チューブの内部流路の断面積を調節する第１連結チューブクランプと、
前記第２連結チューブ上にそれぞれ備えられ、前記第２連結チューブの内部流路の断面積を調節する第２連結チューブクランプとをさらに含む、請求項１６に記載の医療用注入装置。
【請求項１８】
前記振動感知栓は前記コンテナ内部の前記攪拌手段の下部と連結紐を介して連動可能に連結される、請求項１３に記載の医療用注入装置。
【請求項１９】
前記振動感知栓は、下部の重量が上部の重量よりもさらに大きく、下部は前記膨張管の下部注入液流路を閉鎖することができるように曲面部からなる、請求項１３に記載の医療用注入装置。
【請求項２０】
前記注入液濾過フィルターと前記ガイドチューブとの間を連結し、弾性材質のベローズ継手がさらに備えられる、請求項１２に記載の医療用注入装置。
【請求項２１】
前記コンテナを振動可能に掛けて固定する据置台をさらに含む、請求項２０に記載の医療用注入装置。
【請求項２２】
前記据置台は、前記ベローズ継手の下部を保持固定するための中間固定バーをさらに含む、請求項２１に記載の医療用注入装置。
【請求項２３】
前記中間固定バーは一字形、円形、楕円形または多角形の形状からなる、請求項２２に記載の医療用注入装置。
【発明の詳細な説明】
【技術分野】
【０００１】
本発明は、注入装置に関し、より詳細には、注入液に含まれている目的物質が沈降または浮遊しなくて損失してしまうことを防止し、これを均等に攪拌して安全に注入するための医療用注入装置に関する。
【背景技術】
【０００２】
周知の如く、ヒトまたは動物の筋肉や血管の中に注射液を一定の速度で注入するためには、注入装置が使用される。ここで、注射液とは、生理食塩水（または人体投与が可能なリンゲル液、栄養輸液など）、または生理食塩水（リンゲル液、栄養輸液など）に特定の薬液や幹細胞などの目的物質を混ぜたものを意味する。
【０００３】
ここで、薬液は、液体状態の薬液、２種以上の薬を混合した液体状態の薬液、およびエマルジョンまたはスラリー状の薬液のうちのいずれかからなり得る。
【０００４】
また、幹細胞は、自己増殖と分化が可能な細胞を意味し、胚性幹細胞と成体幹細胞に大別される。中でも、成体幹細胞の場合は、身体の脂肪組織や骨髄組織などに多く存在することが明らかになっている。
【０００５】
現在、病院で簡単に使用可能な細胞は、脂肪組織を採取し、これを酵素処理した後に得られる間質血管分画細胞（ＳＶＦ  Ｃｅｌｌｓ、Ｓｔｒｏｍａｌ  Ｖａｓｃｕｌａｒ  Ｆｒａｃｔｉｏｎ  Ｃｅｌｌｓ）、間質血管分画細胞をもう一度精製した後に得られる脂肪由来幹細胞（ＡＤＳＣｓ、Ａｄｉｐｏｓｅ  Ｄｅｒｉｖｅｄ  Ｓｔｅｍ  Ｃｅｌｌｓ）、骨髄から骨髄液を抽出した後に培養過程を経て得られる骨髄由来の中間葉−幹細胞（ＢＭＭＳＣｓ、Ｂｏｎｅ  Ｍａｒｒｏｗ  Ｄｅｒｉｖｅｄ  Ｍｅｓｅｎｃｈｙｍａｌ  Ｓｔｅｍ  Ｃｅｌｌｓ）などに区分することができる。
【０００６】
近年、幹細胞を用いた治療法が開発され、幹細胞への関心が増加している。これにより、幹細胞の抽出を容易にする装備の開発が盛んに行われている。
【０００７】
ところが、幹細胞は、抽出中または抽出完了の後、水との比重差により水の下に沈降（沈殿）し易く、プラスチックへの付着性が高く、互いに絡み付いてよく凝固する特性を有する。
【０００８】
このような幹細胞の特性のために、抽出された幹細胞を人体に投入するときに相当の注意を払わなければ、投入過程中に相当の細胞損失を招くおそれがあるため、結果として治療効果が減少することがある。
【０００９】
また、幹細胞が塊状に或いは高濃度で投与される場合、血管を塞いで血栓症が発生することがあり、アレルギーが誘発されることもある。
【００１０】
また、エマルジョンまたはスラリー状の物質（細胞または溶液に溶解されていない形態の物質）を投入するときに安全のために濾過などの追加過程が必要であるが、このような追加過程中に少しの不注意でも注入される目的物質が損傷を受け易く、効果が低下する可能性がある。
【００１１】
このようなリスクがあるにも拘わらず、幹細胞を注入するための注入装置の開発は微々たる実情である。従来の注入装置を用いて投与する場合、注入速度で調節し或いは幹細胞を攪拌して安全な濃度で投与することが可能な装置がないため、致命的な医療事故を引き起こすおそれがあるという問題点を持つ。
【先行技術文献】
【特許文献】
【００１２】
【特許文献１】韓国登録実用新案第２０−０３７０２７５号（２００４年１２月１３日公告）
【発明の概要】
【発明が解決しようとする課題】
【００１３】
上述した問題点を解決するための本発明の目的は、注入装置に振動を加えて注入液を攪拌させることにより、注入液に含まれている目的物質が適正の濃度を維持しながら注入できるようにし、注入装置に加えられた振動が注射針にまで伝達されることを遮断することにより、被注入者が被害を受けないようにし、注入液を一定の水位と注入速度でさらに自由に調節して安全に注入することができるようにする医療用注入装置を提供することにある。
【課題を解決するための手段】
【００１４】
上記の目的を達成するための本発明の医療用注入装置は、内部に注入液を込めるための内部収容空間を有し、下部に注入液流出ポートが形成されるコンテナと、前記コンテナの前記注入液流出ポートに延長結合され、前記注入液流出ポートを介して排出された注入液を濾過する注入液濾過フィルターと、前記注入液濾過フィルターの下部に延長連結され、濾過排出された前記注入液を注入するための移動流路を提供するガイドチューブと、外部の空気が流出入する開度を調整可能な状態で前記コンテナの上部に形成された第１水位調節ポートと前記注入液濾過フィルターの上部に形成された第２水位調節ポートとを互いに連通するように連結する注入液水位調節管とを含んで構成されることを特徴とする。
【００１５】
ここで、前記第２水位調節ポートは、前記注入液濾過フィルターの最上側部に位置することが好ましい。
【００１６】
また、前記注入液水位調節管は、分岐し、前記第１水位調節ポートと前記第２水位調節ポートとを連結する分岐連結管と、前記分岐連結管に延長結合され、スリット状の空気入出孔が形成されるスリットアダプターと、前記スリットアダプターに結合され、前記空気入出孔の開度を調節する空気調節栓とを含んで構成できる。
【００１７】
また、前記分岐連結管は、前記第１水位調節ポートと前記スリットアダプターとを連結する連結管部から、前記第２水位調節ポートを連結するように第１分岐管部が延長形成される分岐管と、前記分岐管の第１分岐管部と前記フィルターの第２水位調節ポートとを連結する第１連結チューブとを含むことができる。
【００１８】
また、前記第１連結チューブは、柔軟性材質からなり、前記連結チューブ上に備えられ、前記連結チューブを加圧して内部流路の断面積の大きさを調節する第１連結チューブクランプをさらに含んで構成できる。
【００１９】
また、前記スリットアダプターと前記分岐連結管との間を連結する空気濾過フィルターがさらに備えられ、前記空気濾過フィルターは、内部濾過空間を形成するフィルターハウジングと、前記フィルターハウジング内に設置され、前記空気入出孔を介して流入する空気を濾過させる空気濾過材とを含んで構成できる。
【００２０】
ここで、前記スリットアダプターは、前記空気濾過フィルターと一体に形成できる。
【００２１】
また、前記ガイドチューブは液滴管、注入量調節バルブおよび延長チューブをさらに含み、前記注入液濾過フィルターはいっぱいに満たし、前記液滴管は部分的に満たして、濾過と注入を行うことが好ましい。
【００２２】
また、前記コンテナの内部に備えられ、前記コンテナに振動が発生すると、揺動して内部の注入液を攪拌する攪拌手段をさらに含むことができる。
【００２３】
ここで、前記攪拌手段は、前記コンテナの上側に掛止され、自由運動可能に固定される第１攪拌体と、前記第１攪拌体の下端部に自由運動可能に連結される第２攪拌体とを含み、前記第１攪拌体は下部が上部よりもさらに重く、前記第２攪拌体は上部が下部よりもさらに重く形成されることが好ましい。
【００２４】
また、前記第１攪拌体と前記第２攪拌体は、棒の上端部と下端部にそれぞれ螺旋状に屈曲するように連結環が形成され、前記第２攪拌体の上部連結環が前記第１攪拌体の下部連結環に掛かって延長結合され、前記第１攪拌体の下部環は上部環よりもさらに大きく、前記第２攪拌体の上部環は下部環よりもさらに大きく形成されることが好ましい。
【００２５】
また、前記コンテナは、下部が前記注入液流出ポートに向かって断面縮小部を成すように形成され、前記断面縮小部内に収納され、前記コンテナの振動有無に応じて、前記注入液流出ポートを開閉する振動感知栓をさらに含んで構成できる。
【００２６】
また、前記振動感知栓は、前記攪拌手段の下部に連結紐を介して連動可能に連結されることがより好ましい。
【００２７】
また、前記振動感知栓は、下部の重量が上部の重量よりもさらに大きく、少なくとも下部は注入液流出ポートを閉鎖するように曲面部からなることが好ましい。
【００２８】
また、前記コンテナと注入液濾過フィルターとの間を連結し、長さ方向の中心部に内部流路の断面積が拡張された膨張管と、前記膨張管の内部に収納設置され、前記コンテナの振動有無に応じて、前記注入液濾過フィルターに連結される下部注入液流路を開閉する振動感知栓とをさらに含むことができる。
【００２９】
また、前記注入液水位調節管は、前記膨張管の上部に形成された第３水位調節ポートをさらに連結するように形成できる。
【００３０】
また、前記注入液水位調節管は、下端部が分岐し、前記第１水位調節ポート、前記第２水位調節ポートおよび前記第３水位調節ポートを連結する分岐連結管と、前記分岐連結管の上側開放上端部に延長結合されるスリットアダプターと、前記スリットアダプターの空気流入スリット形成端部に結合され、前記空気流入スリットの開度を調節するように締結される空気調節栓とを含んで構成できる。
【００３１】
また、前記分岐連結管は、前記第１水位調節ポートと前記スリットアダプターとを連結する連結管部から、前記第２水位調節ポートおよび前記第３水位調節ポートを連結するように第２分岐管部が延長形成される分岐管と、前記第２分岐管部の第１分岐端部と前記第２水位調節ポートとを連結する第１連結チューブと、前記第２分岐管部の第２分岐端部と前記第３水位調節ポートとを連結する第２連結チューブとを含んで構成できる。
【００３２】
また、前記第１連結チューブおよび前記第２連結チューブは、柔軟性材質からなり、前記第１連結チューブ上にそれぞれ備えられ、前記第１連結チューブの内部流路の断面積を調節する第１連結チューブクランプと、前記第２連結チューブ上にそれぞれ備えられ、前記第２連結チューブの内部流路の断面積を調節する第２連結チューブクランプとをさらに含んで構成できる。
【００３３】
ここで、前記振動感知栓は、前記コンテナ内部の前記攪拌手段の下部と連結紐を介して連動可能に連結されるように構成され、振動感知栓の重量が上部の重量よりもさらに大きく、下部は前記膨張管の下部注入液流路を閉鎖することができるように曲面部からなることが好ましい。
【００３４】
また、前記注入液濾過フィルターと前記ガイドチューブとの間を連結し、弾性材質のベローズ継手がさらに備えられることが好ましい。
【００３５】
また、前記コンテナを振動可能に掛けて固定する据置台をさらに含むことができ、前記据置台は、前記ベローズ継手の下部を保持固定するための中間固定バーをさらに含むことができる。
【００３６】
また、前記中間固定バーは、一字形、円形、楕円形または多角形の形状に多様に変形させて適用することができる。
【発明の効果】
【００３７】
前述した本発明の医療用注入装置によれば、振動を与えて、注入液入りのコンテナとコンテナ内に備えられた攪拌手段とを揺動させて注入液を攪拌するようにすることにより、注入液中に含まれている目的物質が十分に攪拌された状態で均一な濃度をもって注入できるように誘導して、目的物質の濃度不均一により発生するおそれのある致命的な医療事故を事前に防止することができるという効果を奏する。
【００３８】
また、振動を与えて注入液を攪拌させていない場合、コンテナまたは膨張管内に備えられた振動感知栓を介して、注入液が下流に流れて注入されることを根本的に自動遮断することにより、より安全に注入液を注入することができるようにするという効果を奏する。
【００３９】
また、振動感知栓を連結紐を介して振動手段と連動可能に連結させて、振動感知栓による円滑な注入液流出ポートの開閉動作が行われるようにするという効果を奏する。
【００４０】
また、注入液水位調節管を介してコンテナとフィルターおよび／または膨張管を互いに連結して、これらの内部に満たされた注入液の水位および注入液の注入速度をさらに自由に調節することができるようにし、特にフィルターの内部で沈降性濾過過程を経るように注入液がフィルターの内部を所定の水位以上に満たした状態で注入が行われるように誘導することにより、幹細胞などの目的物質が注入液濾過材などによる損傷なしに安定的に濾過されて注入できるという効果を奏する。さらに好ましくは、注入液濾過フィルターはいっぱいに満たし、ガイドチューブの液滴管は部分的に満たして濾過と注入を行うことにより、効率の良い濾過および注入を可能にするという効果を奏する。
【００４１】
また、ベローズ継手を用いて注入液を攪拌するために加えられる振動が注射針にまで伝達されることを遮断することにより、注射針が刺されている被注入者が不快感を覚えたり医療事故が発生したりすることを防止することができるという効果を奏する。
【００４２】
また、注入装置が据え置かれる据置台の中心部にベローズ継手の下部を保持固定するように中間固定バーを設置し、これを介して、コンテナを含めてベローズ継手の上流側に十分な振動を与えて注入液の攪拌効果を向上させることができるようにするが、ベローズ継手の下流側に振動が伝達されることなく安全に注入液を注入することができるようにするという効果を奏する。
【図面の簡単な説明】
【００４３】
【図１】本発明の第１実施形態に係る医療用注入装置の部分断面斜視図である。
【図２】図１の医療用注入装置の正断面図である。
【図３】図２のコンテナを拡大して示す正断面図である。
【図４】（ａ）乃至（ｃ）は図３のコンテナを振動させて注入液を攪拌させる過程を示す正断面図である。
【図５】（ａ）および（ｂ）は図３の振動感知栓に対するそれぞれの変形例を示す正断面図である。
【図６】図２の注入液濾過フィルターを拡大して示す側断面図である。
【図７】図２の注入液水位調節管を分解して示す正断面図である。
【図８】（ａ）および（ｂ）は図７の空気調節栓の締結状態による空気入出孔の開放および閉鎖状態を示す部分切開斜視図である。
【図９】（ａ）乃至（ｄ）は図２の注入液水位調節管を介してコンテナおよび注入液濾過フィルター内部の注入液水位調節過程を示す正断面図である。
【図１０】本発明の第２実施形態に係る医療用注入装置の斜視図である。
【図１１】図８の膨張管を拡大して示す正断面図である。
【図１２】本発明の第３実施形態に係る医療用注入装置の斜視図である。
【図１３】図１０の注入液水位調節管を拡大して示す正断面図である。
【図１４】本発明の第４実施形態に係る医療用注入装置の正断面図である。
【図１５】図１４の中間固定バーを示す平面図である。
【図１６】（ａ）乃至（ｃ）は図１５の中間固定バーに対するそれぞれの変形例を示す平面図である。
【図１７】（ａ）および（ｂ）は図１４の据置台を用いて医療用注入装置を据え置いた状態で注入液攪拌のために注入装置を振動させた状態を示す正断面図である。
【発明を実施するための形態】
【００４４】
以下、添付図面を参照して、本発明の実施例について、本発明の属する技術分野における通常の知識を有する者が容易に実施し得るように詳細に説明する。しかし、本発明は、様々な互いに異なる形態で実現でき、ここで説明する実施形態に限定されない。図面において本発明を明確に説明するために、説明と関係のない部分は省略し、明細書全体にわたって同一または類似の構成要素については同一の参照符号を付した。
【００４５】
図１は本発明の第１実施形態に係る医療用注入装置の部分断面斜視図である。
【００４６】
図１を参照すると、本発明の一実施形態に係る医療用注入装置１は、攪拌手段２０と振動感知栓３０が備えられたコンテナ１０、注入液濾過フィルター４０、注入液水位調節管５０、ベローズ継手６０およびガイドチューブ７０を含むように構成され、連続的に規則正しいまたは不規則な振動を与えて注入液を攪拌させた状態で、注入液中に含まれている目的物質が十分に攪拌されて均一な濃度をもって注入されるようにする。
【００４７】
図２は図１の医療用注入装置の正断面図、図３は図２のコンテナを拡大して示す正断面図である。
【００４８】
図２および図３を参照すると、コンテナ１０は、注入しようとする注入液を入れて貯留するための内部収容空間１２が形成され、上部には、内部収容空間１２の内部に注入液を供給するための注入液流入ポート１６が形成され、下部には、前記注入液を前記注入液濾過フィルター４０、ベローズ継手６０および前記ガイドチューブ７０を経由して被注入者に注入するための注入液流出ポート１９が形成される。
【００４９】
本実施形態において、コンテナ１０は、ガラスやプラスチックなどで製作され、内部収容空間１２の体積が一定に維持できる透明または半透明容器状とするが、特に、内部収容空間１２を形成するためのコンテナ本体部１１と、前記コンテナ本体部１１の上側開放部を密閉させるように螺合されるコンテナ蓋部１５とから構成されることを例示する。
【００５０】
しかし、本発明は、これに必ずしも限定されるものではなく、コンテナ１０内に注入液を入れた状態で振動を与えて目的物質（幹細胞など）が均一な濃度を持つように十分に攪拌させて注入することができる限り、パウチを含めてさらに様々な形状に構成することができる。
【００５１】
このように、本実施形態において、コンテナ１０をコンテナ本体部１１とコンテナ蓋部１５に分離して構成することにより、コンテナ蓋部１５を用いてコンテナ本体部１１の内部収容空間の上側開放部を開閉するようにして、容器状のコンテナ１０に対する製造および使用上の利便性を高めることができる。
【００５２】
一方、コンテナ蓋部１５には、前記内部収容空間１２内に注入液を供給するための一つ以上の注入液流入ポート１６と、水位調節のための第１水位調節ポート１８がそれぞれ貫通形成できる。
【００５３】
注入液流入ポート１６の周囲には、これを包んで保護するための中空の保護壁体１６ａがさらに形成され、前記保護壁体１６ａ上に覆い被せられた注入液流入ポート１６を塞ぐように流入ポートカバー１６ｂがさらに設けられる。
【００５４】
第１水位調節ポート１８には前記注入液水位調節管５０が延長結合され、前記注入液水位調節管５０を介して、後述する注入液濾過フィルター４０と一緒にコンテナ１０の内部が外部、すなわち大気中に開放される程度を調節して、内部収容空間１２から下流側に抜け出す注入液の流出速度（注入速度）を調節することができるようにする。
【００５５】
一方、コンテナ蓋部１５の注入液流入ポート１６と第１水位調節ポート１８との間の中央部の上面と下面にそれぞれ固定環１５ａ、１５ｂが形成される。
【００５６】
ここで、上面固定環１５ａは、コンテナ１０を後述の据置台４００（図１４および図１７を参照）に振動可能に吊り下げて固定するための掛止環１７を掛けて延長するためのものであり、下面固定環１５ｂは、コンテナ１０の内部で注入液を攪拌するための前記攪拌手段２０を内部に吊り下げて連結するためのものである。
【００５７】
それぞれの掛止環１７は、後述する攪拌手段２０の第１攪拌体２１および第２攪拌体２５と同様に、必要な長さに掛けて連結可能にスティックの上側端部と下側端部を螺旋状に屈曲するように上、下部環が形成される。
【００５８】
このように、コンテナ１０が掛止環１７を介して自由に挙動することができるように吊り下げて固定することにより、外力（ユーザーが手動で振ることにより、或いは据置台に備えられた振動装置により発生した力）によってコンテナ１０が振り子運動や歳差運動などを行うように揺動させて注入液を攪拌することができるようにする。
【００５９】
コンテナ本体部１１は、略中空円錐状をし、円錐の頂点をなす最下側端部を貫通して注入液流出ポート１９が形成される。
【００６０】
このように、前記コンテナ１０の下部が中空円錐形の断面縮小部をなすように形成されることにより、コンテナ１０内に入れて貯留された注入液中の、沈降性質がある幹細胞などの目的物質が内側傾斜面に沿って流れ下り、コンテナ内に残存せずに注入液流出ポート１９を介して完全に排出できる。
【００６１】
攪拌手段２０は、前記コンテナ１０の内部に自由運動可能に吊り下げられて前記コンテナ１０への振動によって連動しながら、内部に収容された注入液を掻き混ぜて攪拌させるようにする役割を果たす。
【００６２】
本実施形態において、前記攪拌手段２０は、前記コンテナ蓋部１５の下部環１５ｂに掛かって延長結合される第１攪拌体２１と、前記第１攪拌体２１の下部に掛かって延長結合される第２攪拌体２５とを含んで構成されることを例示する。
【００６３】
前記第１攪拌体２１と前記第２攪拌体２５は、棒の上端部と下端部に、それぞれ螺旋状に屈曲している連結環２２、２３、２６、２７が形成されるように構成される。
【００６４】
前記第１攪拌体２１は、上部環２２がコンテナ蓋部１５の下面固定環１５ｂに自由運動可能に掛かって連結され、第２攪拌体２５の上部連結環２６が再び前記第１攪拌体２１の下部環２３に自由運動可能に掛かって連結される。
【００６５】
以下、前記第１攪拌体２１および第２攪拌体２５を用いて注入液を攪拌させる過程を、図４を参照してより詳細に説明する。
【００６６】
図４の（ａ）乃至（ｃ）は図３のコンテナを振動させて注入液を攪拌させる過程を示す正断面図である。
【００６７】
図４に示すように、コンテナ１０に外力（ユーザーが振ることにより、或いは振動装置により発生した力）が加えられたとき、コンテナ１０２が揺動しながら振り子運動または歳差運動を行う。
【００６８】
また、コンテナ１０の振り子運動または歳差運動は、コンテナ１０内に一体に連結された第１攪拌体２１および第２攪拌体２５に伝達され、第１攪拌体２１および第２攪拌体２５が揺動しながら掻き混ぜて注入液を攪拌させる。
【００６９】
この時、前記第１攪拌体２１と第２攪拌体２５を用いた注入液の攪拌効果を向上させることができるように、前記第１攪拌体２１の下部環２３は上部環２２よりもさらに大きく、前記第２攪拌体２５の上部環２６は下部環２７よりもさらに大きく形成されることがより好ましい。
【００７０】
このように、第１攪拌体２１の下部環２３が上部環２１よりもさらに大きく、前記第２攪拌体２５の上部環２６は下部環２７よりもさらに大きく形成することにより、最終的には、前記第１攪拌体２１は下部が上部よりもさらに重く、前記第２攪拌体２５は上部が下部よりもさらに重く形成するようにする。
【００７１】
したがって、第１攪拌体２１は、下部に重心があって安定しているのに対し、第２攪拌体２５は、上部に重心があって安定していないので、コンテナ１０に振動が発生すると、重心が安定した第１攪拌体２１は高さの変化がなく、水平方向が主となる振り子運動と歳差運動をして揺動する。
【００７２】
これに対し、重心が不安定な第２攪拌体２５は、水平方向に揺動すると同時に、上下に揺動して不規則な振り子運動と歳差運動を行う。
【００７３】
すなわち、不規則な振り子運動および歳差運動は、前記第１攪拌体２１の下部環に掛かっており、重量が相対的に大きい第２攪拌体２５の上部では顕著ではないが、重心が不安定な下部に行くほど明らかに現れる。よって、第２攪拌体２５の下部環２７は、最も不規則な振り子運動と歳差運動を行う。
【００７４】
一方、目的物質中の幹細胞は、コンテナ１０内で沈降しようとする性質が強く、コンテナ１０の注入液流出ポート１９近くの内壁に吸着、凝固することができる。よって、コンテナ１０の下部に行くほど幹細胞の濃度は増加し、特に流出ポート１９近くの内壁で凝固現象が多く発生する。
【００７５】
本実施形態の攪拌手段２０における第１攪拌体２１の下部環２３と第２攪拌体２５の上部環２７は、水平方向が主となる振り子運動と歳差運動を安定的に行うため、コンテナ１０の中間部に方向性のある対流現象を発生させることができ、前述した対流現象によって注入液全般にわたって攪拌が起こる。
【００７６】
これに対し、第２攪拌体２５の下部環２７は、水平、垂直方向に不規則に振り子運動と歳差運動を行うため、方向性のある対流現象が起こらない。
【００７７】
すなわち、コンテナ１０の下部では注入液全般に影響を及ぼす攪拌が起こらないが、コンテナ１０の下部の注入液を集中的に掻き混ぜながら、局部的な部分だけでは第１攪拌体２１の下部環２３と第２攪拌体２５の上部環２６よりもさらに優れた攪拌性能を示す。
【００７８】
したがって、前述した攪拌手段２０は、コンテナ１０の下部に行くほど幹細胞の濃度は増加して注入液流出ポート１９近くの内側傾斜壁面から凝固現象が多く発生し、注入液流出ポート１９に向かって断面縮小部が形成されるコンテナ１０を適用した注入装置１００に非常に適している。
【００７９】
このように、前述した攪拌手段２０によって注入液を攪拌させることにより、注入液中に含まれている物質（幹細胞など）の凝固を防ぎ、注入液内の目的物質が均一な濃度を維持することができるため、幹細胞が沈殿して高濃度で投与されるか或いは互いに絡み合って塊状になった状態で注入されるリスクを防止することができる。
【００８０】
振動感知栓３０は、コンテナ１０の下部の前記断面縮小部内に収納され、前記コンテナ１０の振動有無に応じてコンテナ１０の注入液流出ポート１９を開閉するようにする。
【００８１】
すなわち、普段は振動感知栓３０の直径が注入液流出ポート１９の断面の直径よりも大きいため、コンテナ１０の下側断面縮小部の傾斜面に密着して流路を閉鎖することにより、注入液が注入液流出ポート１９を介してコンテナ１０から流出することを遮断するようにする。
【００８２】
しかし、コンテナ１０に振動が加わってコンテナ１０が揺動しながら、前述したように振り子運動および歳差運動を行うと、内部の振動感知栓３０が一緒に揺動し、断続的に前記注入液流出ポート１９を開放するようにする。
【００８３】
本実施形態において、振動感知栓１９は、略断面円形の球面体からなり、内側下部に偏心錘を設置して下部が上部よりもさらに重く形成されることを例示する。
【００８４】
すなわち、振動感知栓３０を球面体から構成することにより、常に同じ位置で注入液流出ポート１９の閉鎖動作が起こるように誘導するとともに、揺動していたコンテナ１０の振り子運動または歳差運動が減衰しても、振動感知栓３０がコンテナ１０の下部傾斜面から離隔して作られる離隔空間が時間経過に伴って一定に減少して注入液の流出量が急激に変化することを防ぐことができるようにする。
【００８５】
また、振動感知栓３０の重心が下側に位置するように構成することにより、注入液流出ポート１９の開放のために揺動させる過程で、まるで起きあがりこぼしの如く転倒せずに常に起立形状を維持しながら注入液流出ポート１９の開閉動作を行うことができるようにする。
【００８６】
図５の（ａ）および（ｂ）は図３の振動感知栓に対するそれぞれの変形例を示す正断面図である。
【００８７】
本実施形態において、振動感知栓３０が断面円形の球面体からなることを例示しているが、本発明は、これに必ずしも限定されるものではなく、図５に示すように、一般的に重心が下側に位置し、断面縮小部をなす注入液流出ポートを均一に開閉するための少なくとも下部が曲面部を有する限り、楕円形や扇形などを含めてより多様な断面形状を有する球面体から構成することができる。
【００８８】
特に、振動感知栓３０を、図５の（ｂ）に示すように、上、下部が互いに非対称をなす扇形断面形状を有する球面体から構成することにより、下部は半球形に曲面部を形成して注入液流出ポート１９の開閉動作をスムーズに行うことができるようにするが、上部を円錐形に構成し、これによりコンテナ１０の下側断面縮小部内の注入液攪拌効果を向上させることができる。
【００８９】
特に、本実施形態では、前記振動感知栓３０が前記攪拌手段２０の下端部、すなわち、第２攪拌体２５の下部環２７に連結紐３１を介して互いに連動可能に連結するように構成されることを例示する。
【００９０】
このように、振動感知栓３０を連結紐３１を介して第２攪拌体２５の下部環２７に連結することにより、攪拌手段２０の動きに反応して振動感知栓３０の動きを増加させてさらに円滑な注入液流出ポート１９の開閉動作を行うことができるようにするとともに、コンテナ１０の断面縮小部内の注入液攪拌効果を向上させることができるようにする。
【００９１】
再び図１および図２を参照すると、前記注入液濾過フィルター４０は、前記コンテナ１０の前記注入液流出ポート１９に延長結合され、前記注入液流出ポート１９を介して排出された注入液を注入液濾過材４５を用いて濾過させるようにする役割を果たす。
【００９２】
図６は図２の注入液濾過フィルターを拡大して示す側断面図である。
【００９３】
図６を参照すると、本実施形態では、注入液濾過フィルター４０は、フィルターハウジング４１と、前記フィルターハウジング４１内に設置される注入液濾過材４５とを含んで構成されることを例示する。
【００９４】
ここで、フィルターハウジング４１は、内部に設置される前記注入液濾過材４５を用いて、コンテナ１０から流入した注入液を濾過させるための濾過空間を提供し、上側端部には、コンテナの注入液流出ポート１９に連結するためのフィルター流入管部４２が形成され、下側端部には、前記ベローズ継手６０を連結するためのフィルター流出管部４３が形成される。
【００９５】
したがって、フィルター流入管部４２を介してコンテナ１０から流入した注入液がフィルターハウジング４１内で一定の高さ以上の水位を維持した状態で流れ、フィルター流出管部４３に連結されたベローズ継手６０を介してガイドチューブ７０側へ移動する。
【００９６】
このとき、注入液は、フィルターハウジング４１の内部に設置される注入液濾過材４５を通過して下流に流れ下る過程で、自然に注入液内に含まれている塊状物質は濾別し、幹細胞などの目的物質は透過させるようにする。
【００９７】
本実施形態で使用される注入液濾過材４５は、緻密膜構造を持つ公知のバッグフィルター（ｂａｇ−ｆｉｌｔｅｒ）からなることを例示する。ところが、注入液中の塊状物質は濾別し、幹細胞などの目的物質を透過させることができる限り、様々な形態および材質の濾過材が使用できることは当然である。
【００９８】
また、フィルターハウジング４１の上部には、前述した注入液水位調節管５０を連結して外部との開度を調節することにより、前記コンテナ１０と連携して、フィルターハウジング４１内に満たされる注入液の水位および注入速度を調節することができるようにするための第２水位調節ポート４４が形成される。
【００９９】
ここで、第２水位調節ポート４４は、注入液濾過材４５を介して注入液の沈降性濾過過程を誘導することができるように、少なくとも注入液濾過材４５の設置高さよりもさらに高く注入液の水位を維持しなければならず、さらに効果的には、注入液がフィルターハウジング４１の内部を全て満たした状態で注入液の濾過過程を行うことができるように、フィルター流入管部４２に隣接する最上側部に形成することが好ましい。
【０１００】
すなわち、フィルターハウジング４１を満たさない状態で目的物質を注入する場合、濾過材が注入液濾過材４５に掛かって細胞などの目的物質の損傷が起こる可能性が大きい。
【０１０１】
よって、フィルターハウジング４１の内部を注入液で満たした状態で注入液の濾過過程を行うと、幹細胞などの目的物質が注入液濾過材、すなわちバッグフィルター形態の注入液濾過材４５による損傷なしで安定的に濾過が行われる。
【０１０２】
特に、前述したように注入液をフィルターハウジング４１の最上流までいっぱいに満たした状態で注入液の濾過過程を行う場合、外力によってコンテナ１０が揺動しても、フィルターハウジング４１の内部で注入液が流動することなく安定的に注入が行われ得る。これは、部分的に満ちた容器の内部は外力によって多く揺れが発生するが、いっぱいに満ちている容器の内部は外力が発生しても揺れが発生しないか或いは制限的に発生する原理である。
【０１０３】
したがって、より効率の良い注入液の濾過および注入を可能にするためには、常に外部揺れに注入液が揺動しないように注入液濾過フィルター４０の内部をいっぱいに満たし、注入速度を観察および調節するためには、ガイドチューブ７０の液滴管７１は部分的に満たされるようにすることが好ましい。
【０１０４】
注入液水位調節管５０は、前述したように、空気が流出入する開度を調節することができる状態で前記コンテナ１０の上部に形成された第１水位調節ポート１８と、前記注入液濾過フィルター４０の上部に形成された第２水位調節ポート４４とを連結して、コンテナ１０と注入液濾過フィルター４０の内部に満たされた注入液水位およびガイドチューブ７０を介した注入液の供給速度を調節することができるようにする。
【０１０５】
ベローズ継手６０は、前記注入液濾過フィルター４０と前記ガイドチューブ７０との間を連結するように構成され、屈折可能に弾性材質からなり、長手方向に多数のシワが形成されることを例示する。
【０１０６】
すなわち、前述したように注入液を攪拌するためには、コンテナ１０を揺動させなければならず、これにより発生した運動エネルギーは、ガイドチューブ７０に沿って注射針７２にまで伝達され、注射針７２が刺されている被注入者に不快感を与えたり軽い擦り傷から致命的な医療事故を引き起こしたりすることもある。
【０１０７】
したがって、本実施形態では、ベローズ継手６０を用いて前記注入液濾過フィルター４０と前記ガイドチューブ７０との間を連結するようにすることにより、注入液を攪拌させるようにコンテナ１０に伝達された振動をベローズ継手６０のシワ部を介して遮断させ、下流に伝達されることを防止する。
【０１０８】
ガイドチューブ７０は、ベローズ継手６０の下部に延長連結され、注入液濾過フィルター４０を介して濾過排出された前記注入液を注入するための移動流路を提供するように構成される。
【０１０９】
本実施形態において、ガイドチューブ７０は、液滴管７１、注射針７２、延長チューブ７３および注入流量調節弁７４からなることを例示する。
【０１１０】
ここで、液滴管７１は、ベローズ継手６０の下部に結合され、前記コンテナ１０から注入液濾過フィルター４０を経由して液滴状態（しずく状）で滴下して一定水位を維持しながら供給される注入液の注入速度を可視化させることにより、ユーザーがこれを観察しながら注入液の注入速度を直観的に調節することができるようにする役割を果たす。
【０１１１】
注入流量調節弁７４は、前記液滴管７１から注射針７２を連結する延長チューブ７３上に備えられ、注入液の注入流量を調節するようにする。
【０１１２】
しかし、本発明は、これに限定されるものではなく、ベローズ継手６０の下部を連結して注入液を注射することができる限り、公知の様々な構成を加減してさらに多様にガイドチューブ７０を構成することができる。
【０１１３】
図７は図２の注入液水位調節管を分解して示す正断面図であり、図８の（ａ）および（ｂ）は図７の空気調節栓の締結状態に応じた空気入出孔の開放および閉鎖状態を示す部分切開斜視図である。
【０１１４】
図７および図８を参照すると、本実施形態に係る注入液水位調節管５０は、分岐連結管５１、スリットアダプター５７および空気調節栓５９を含んで構成されることを例示する。
【０１１５】
ここで、分岐連結管５１は、前記第１水位調節ポート１８と前記第２水位調節ポート４４とを連結することができるように分岐して形成される分岐管５２と、第１連結チューブ５３からなる。
【０１１６】
分岐管５２は、前記第１水位調節ポート１８と前記スリットアダプター５７とを連結する連結管部５２ａから、前記第２水位調節ポート４４を連結するように第１分岐管部５２ｂが延長形成される。
【０１１７】
第１連結チューブ５３は、前記分岐管５２の第１分岐管部５２ｂと前記注入液濾過フィルター４０の第２水位調節ポート４４とを連結するようにする。
【０１１８】
ここで、前記第１連結チューブ５３は、柔軟性材質からなり、第１連結チューブ５３上に備えられる第１連結チューブクランプ５４を介して前記第１連結チューブ５３を加圧して、連通している内部流路の断面積の大きさを調節することができるようにする。
【０１１９】
スリットアダプター５７は、内部空気入出孔５７ａを形成するように略中空円筒状をし、下側端部が前記分岐連結管５１の連結管部５２ａの上側開放端部に挿入されて延長結合されるように分岐管連結部５７ａが形成され、上側端部には、空気調節栓５９が螺合される側壁面に沿って少なくとも一つ以上で切開形成された開放スリット５８を持つようにカバー締結部５７ｂが形成される。
【０１２０】
空気調節栓５９は、前記スリットアダプター５７のカバー締結部５７ｂに螺合され、ネジを締めたり緩めたりして調節された締結高さの程度に応じて開放スリット５８による前記空気入出孔５７ｃの開度を調節することができるようにする。
【０１２１】
ここで、空気調節栓５９は、上側閉鎖端部から下側に行くほどラッパ管状に拡張されるように形成され、栓本体５９ａと、前記スリットアダプター５７のカバー締結部５７ｂに螺合されるように内周面上に雌ねじが形成され、上側閉鎖端部から前記空気入出孔５７ｃの内部に挿入されて閉鎖可能にする開閉突起５９ｂが内側に突設されるように構成される。
【０１２２】
一方、前記スリットアダプター５７と前記分岐連結管５１との間に連結され、前記空気入出孔５７ｃを介して流入する空気を濾過させるための空気濾過フィルター５５がさらに備えられ得る。
【０１２３】
ここで、前記空気濾過フィルター５５は、前記スリットアダプター５７と前記分岐連結管５１との間を連結し、空気入出孔５７ｃを形成する中空円筒状のフィルターハウジング５５ａと、前記フィルターハウジング５５ａ内に備えられ、空気入出孔５７ｃを介して流入する空気を濾過させるための空気濾過材５６とから構成される。
【０１２４】
ここで、空気濾過材５６は、空気入出孔５７ｃを介して外部の汚染物質が流入することを遮断することができるように極微細フィルターまたはヘパフィルターからなることが好ましい。
【０１２５】
極微細フィルターの場合、０．１〜０．２μｍまたはそれ以下の小さな網目を持っており、空気中に浮遊する非常に小さな物質や細菌、ウイルスなどの侵入を抑制または捕集して空気による汚染の可能性を最小限に抑えることができる。
【０１２６】
したがって、汚染した環境で注入液の注入が行われるとしても、空気濾過材５６によって異物（細菌、ウイルスを含む）を除去することができてより安全に注入液の注入が行われるようにする。
【０１２７】
図９の（ａ）乃至（ｄ）は図２の注入液水位調節管を介してコンテナおよびフィルター内部の注入液水位調節過程を示す正断面図である。
【０１２８】
まず、図９の（ａ）および（ｂ）に示すように、本実施形態のガイドチューブ７０の注入流量調節弁７４と第１連結チューブクランプ５４を全て閉じた状態で、注射器９０または連結管（図示せず）を用いて前記コンテナ１０の注入液流入ポート１９を介して目的物質を含む注入液を注入することにより、コンテナ１０の内部に満たす。
【０１２９】
このとき、コンテナ１０の内部に満たされた注入液は、振動感知栓３０によって注入液流出ポート１９が閉鎖されて下流に流れず、コンテナ１０の内部のみに満たされた状態を維持する。
【０１３０】
次に、図９の（ｃ）に示すように、ガイドチューブ７０の液滴管７１を手で押すと、振動感知栓３０によって閉鎖されたコンテナ１０の下部から注入流量調節弁７４まで満ちていた内部空気の圧力が高くなり、振動感知栓３０を上側に押し上げて開放されたコンテナ１０の注入液流出ポート１９を介して注入液が下流に流れ下る。
【０１３１】
前述したガイドチューブ７０の液滴管７１の加圧過程を繰り返しながら、下流に流れ下る注入液の流量を調節することにより、注入液が液滴管７１内に一定の水位に満たされるようにする。
【０１３２】
このとき、注入液が注入液濾過フィルター４０を通過して流れ下る過程でベローズ継手６０と液滴管７１との管径の差によって注入液が直ちに流れ下らず、ベローズ継手６０からフィルターの下部までを満たして滞留する。
【０１３３】
ベローズ継手６０から注入液濾過フィルター４０の下部までを満たしてある注入液は、液滴管７１の上部から排出されずに閉じ込められ、圧力が高くなった空気によってもはや流れ下らずに滞留した状態を維持する。
【０１３４】
その次、第１連結チューブクランプ５４を開放した状態で、手でコンテナ１０を振りながら、前述した第１攪拌体２１および第２攪拌体２５と一緒に振動感知栓３０を振り子運動または歳差運動させ、開放された注入液流出ポート１９を介して攪拌状態の注入液を連続的に流せば、注入液濾過フィルター４０の上側に満ちていた空気が第１連結ロープ５３を介して排出されながら、空気が抜け出した注入液濾過フィルター４０の内部上側空間が、コンテナ１０から流れ下った注入液で全て満たされる。
【０１３５】
連続して振りながらコンテナ１０から注入液濾過フィルター４０の内部に注入液が流下し続けるようにすると、注入液は、コンテナ１０と同じ高さの水位になるまで第１連結ロープ５３内に満ちてくる。これは、注入液水位調節管５０の分岐連結管５１を介して前記コンテナ１０の第１水位調節ポート１８と前記注入液濾過フィルター４０の第２水位調節ポート４４を同時に連結して同一開放状態を維持しているからである。
【０１３６】
図９の（ｄ）に示すように、前述した過程を介して下流に流れ下った注入液が前記注入液濾過フィルター４０の内部空間をすべて満たした状態でガイドチューブ７０の注入流量調節弁７４を開放すると、注入液が注入液濾過フィルター４０の内部空間をすべて満たした状態をそのまま維持し、コンテナ１０および第１連結ロープ５３の内部に同じ水位を維持しながら満ちていた注入液が流れ下ってガイドチューブ７０の液滴管７１、延長チューブ７３および注射針７２を経由して被注入者に注入する。
【０１３７】
もちろん、コンテナ１０の内部に満ちている注入液を下流に流下させ続けるためには、必ず、コンテナ１０を連続的に振動させて攪拌手段２０の第１攪拌体２１および第２攪拌体２５と一緒に振動感知栓３０を揺動させなければならない。
【０１３８】
一方、注入液の供給速度は、スリットアダプター５７に締結された空気調節栓５９を介して空気入出孔５７ｃが開度によって調節することができ、最終的にガイドチューブ７０の液滴管７１、延長チューブ７３および注射針７２を経由して被注入者に注入される注入液の流量は、ガイドチューブ７０の注入流量調節弁７４を介して調節することができる。
【０１３９】
したがって、本実施形態の医療用注入装置１は、注入液水位調節管５０を介してコンテナ１０と注入液濾過フィルター４０とを互いに連結して、コンテナとフィルターの内部に満たされた注入液の水位および注入速度を自由に調節することができるようにし、特に、注入液が注入液濾過フィルター４０の内部に完全に満たされた状態を維持しながら注入できるようにして、注入液濾過フィルター４０の内部で沈降性濾過過程を経るように誘導することにより、幹細胞などの目的物質が注入液濾過材４５による損傷なしに安定的に濾過されて注入できるという効果を奏する。
【０１４０】
以下、本発明の医療用注入装置１の別の実施形態を添付図面を参照して説明するが、前述した第１実施形態と同一および類似の構成については同一の参照符号を使用し、これらについての反復説明は省略する。
【０１４１】
図１０は本発明の第２実施形態に係る医療用注入装置の斜視図、図１１は図８の膨張管を拡大して示す正断面図である。
【０１４２】
図１０および図１１を参照すると、本実施形態の医療用注入装置２００は、前述した第１実施形態と比較して、コンテナ１０と注入液濾過フィルター４０との間を連結し、内部に振動感知栓３０を設置するための膨張管１３０をさらに含んで構成されることを特徴とする。
【０１４３】
ここで、膨張管１３０は、中心部に振動感知栓３０を入れて収容するための栓収容空間１３５をもって形成され、上側に注入液流出管１９を挿入して連結される膨張管流入管部１３１が形成され、下側には注入液濾過フィルター４０のフィルター流入管部４２に連結される膨張管流出管部１３２が形成される。
【０１４４】
したがって、注入液を攪拌させるためにコンテナ１０に外力が加えられて振動が発生すると、注入液流出ポート１９を介して膨張管１３０にまで振動が伝達され、栓収容空間１３５内に収納された振動感知栓３０が揺動し、膨張管流出管部１３２の流出ポートを繰り返し開閉する。
【０１４５】
このように、コンテナ１０の下部の断面縮小部内に収納設置されていた振動感知栓３０を別の膨張管１３０内に収納設置することにより、コンテナ１０の下部の断面縮小部での注入液の滞留時間が長くなり、幹細胞の濃度が増加して凝固現象が多く発生することを防止する一方、攪拌手段２０の第２攪拌体２５をコンテナ１０の断面縮小部の下端まで延長させ、これにより注入液の攪拌効果をさらに向上させることができるようにする。
【０１４６】
また、連結紐３１を介して膨張管１３０内に設置される振動感知栓３０を、コンテナ１０内に設置された攪拌手段２０の第２攪拌体２５の下部環２７に互いに連動可能に連結することにより、膨張管１３０の内部注入液がいっぱいに満ちている場合、外部振動があっても、振動感知栓３０の開閉動作が制限されることを、連結紐３１を介して攪拌手段２０の動きに反応して振動感知栓３０の動きを増加させてさらに円滑な膨張管流出管部１３２の流出ポートの開閉動作を誘導することができるようにする。
【０１４７】
一方、本実施形態の医療用注入装置２００は、注入液をコンテナ１０の注入液流入ポート１６を介して注入する初期段階で、注入液がコンテナ１０の注入液流出ポート１９を介して膨張管１３０に流下し、振動感知栓３０によって膨張管流出管部１３２が閉鎖された膨張管１３０の内部を満たした後、コンテナ１０の内部に満ちてくることを除いて、図９と同様の過程を経て、注入液水位調節管５０を介してコンテナ１０およびフィルター４０の内部に満たされた注入液の水位およびこれによる注入液の注入速度を調節することができるようにする。
【０１４８】
図１２は本発明の第３実施形態に係る医療用注入装置の斜視図、図１３は図１０の注入液水位調節管を拡大して示す正断面図である。
【０１４９】
図１２および図１３を参照すると、本実施形態の医療用注入装置２００は、第２実施形態と比較して、振動感知栓３０が収納設置される膨張管１３０の上部に第３水位調節ポート１３３が貫通形成され、注入液水位調節管２５０がコンテナ１０の第１水位調節ポート１８および注入液濾過フィルター４０の第２水位調節ポート４４と一緒に膨張管１３０の第３水位調節ポート１３３を連結し、それぞれの内部に満たされた注入液の水位を調節するとともに、これらを介して注入される注入液の注入速度を調節することができるようにする。
【０１５０】
したがって、本実施形態の注入液水位調節管２５０の分岐連結管２５１は、前記第１水位調節ポート１８と前記スリットアダプター５７とを連結する連結管部から、前述した第２水位調節ポート４４と前記第３水位調節ポート１３３を連結するように第２分岐管部が分岐して延長形成されるように分岐管２５２を含む。
【０１５１】
第１連結チューブ２５３は、前述したように、前記分岐管２５２の第２分岐管部の第１分岐端部と注入液濾過フィルター４０の第２水位調節ポート４４とを連結し、第２連結チューブ２５５は、前記分岐管２５２の前記第２分岐管部の第２分岐端部と前記膨張管１３０の第３水位調節ポート１３３とを連結するようにする。
【０１５２】
また、前記第２連結チューブ２５５は、前述した第１連結チューブ２５３と同様に柔軟性材質からなり、第２連結チューブクランプ２５６を介して第２連結チューブ２５５の内部流路の断面積を調節して、第２連結チューブ２５５を介して、さらに自由に膨張管１３０の内部に閉じ込められていた空気を外部へ排出したり外部空気が膨張管１３０の内部に流入したりするようにする。
【０１５３】
よって、本実施形態では、注入液水位調節管２５０の第２連結チューブ２５５を用いて、前述したコンテナ１０および注入液濾過フィルター４０と同様に、膨張管１３０内に満たされる注入液の水位およびこれを経由して注入される注入液の注入速度をさらに自由に調節することができるようにする。
【０１５４】
図１４は本発明の第４実施形態に係る医療用注入装置の正断面図、図１５は図１４の中間固定バーを示す平面図、図１６の（ａ）乃至（ｃ）は図１５の中間固定バーに対するそれぞれの変形例を示す平面図である。
【０１５５】
図１４および図１５を参照すると、本実施形態の医療用注入装置１は、コンテナ１０を振動可能に掛けて固定するための据置台４００をさらに含んで構成される。
【０１５６】
前記据置台４００は、受け台４１０、垂直延長支持台４２０および中間固定バー４４０を含んで構成される。
【０１５７】
ここで、前記据置台４００は、公知の従来の医療用据置台と同様に垂直延長支持台４２０が受け台４１０から垂直延長されるように固定設置され、垂直延長支持台４２０の上側端部には、前記掛止環１７を用いて医療用注入装置１の前記コンテナ１０を掛けて固定することができるように水平支持部４３０が折曲形成される。
【０１５８】
ところが、本実施形態の据置台は、公知の医療用据置台と比較して、垂直延長支持台４２０上に設置され、前記ベローズ継手６０のシワ部の下側を保持固定することができるようにする中間固定バー４４０をさらに含んで構成されることを特徴とする。
【０１５９】
ここで、中間固定バー４４０は、直線状の水平支持台部４４１の両側端部にそれぞれ支持台固定部４４２およびベローズ継手固定部４４５が形成されることを例示する。
【０１６０】
支持台固定部４４２は、垂直延長支持台４２０上で垂直移動可能に嵌められる固定環の一側を貫通するように締め付けねじ４４３が備えられ、垂直延長支持台４２０の高さ方向に沿ってベローズ継手６０の固定高さを自由に調節することができるようにする。
【０１６１】
ベローズ継手固定部４４５は、ガイドチューブ７０の液滴管７１連結部が延長連結されるベローズ継手６０の下部を包んで固定するように円形クリップ状をする。すなわち、ベローズ継手固定部４４５は、開閉可能に結合される固定側半円形部と開放側半円形部との間にベローズ継手６０の下端部を挿入して固定するようにする。
【０１６２】
本実施形態において、中間固定バー４４０は、水平支持台部４４１が直線バーの形状に延長形成されることを例示するが、本発明は、これに必ずしも限定されるものではなく、図１６に示すように、ハンドルや医療機構の据え置きのための追加的な使用目的を実行し得るように三角形、四角形または円形を含んで多様な形状などに変形させて適用することができる。
【０１６３】
一方、垂直延長支持台４２０の水平支持部４３０と中間固定バー４４０との間にはコンテナ１０を連結し、注入液の攪拌のために振動を伝達することができるように振動装置をさらに構成することができる。
【０１６４】
図１７は図１４の据置台を用いて医療用注入装置の振動据置状態を示す正断面図である。
【０１６５】
図１７を参照すると、前述したように、垂直延長支持台４２０の水平支持部４３０にコンテナ１０を自由運動可能に掛けて固定した後、中間固定バー４４０を用いてベローズ継手６０の下部を保持固定して注入装置１を据置台４００に据え置く。
【０１６６】
図９に示すように、注入液濾過フィルター１０の内部に注入液が所定の水位に満たされるように調節した後、手動でまたは前記振動装置を用いてコンテナ１０に振動を加えて注入液が連続的に攪拌されながら注入されるようにする。
【０１６７】
このとき、中間固定バー４４０を用いてベローズ継手６０の下部を保持固定するようにすることにより、コンテナ１０を含めて、ベローズ継手６０を基準に上流側に十分な振動を与えて注入液の攪拌効果を向上させることができるようにするが、与えられた振動がベローズ継手６０の下流側に伝達されることを防止してより安全に注入液を注入することができるようにする。
【０１６８】
以上、本発明の好適な実施形態について説明したが、本発明は、これに限定されるものではなく、特許請求の範囲と発明の詳細な説明および添付図面の範囲内で様々に変形または変更実施することが可能であり、それらの変形または変更実施も本発明の範囲に属するのは当たり前である。
【符号の説明】
【０１６９】
１、１００、２００    医療用注入装置
１０    コンテナ
１１    コンテナ本体部
１２    内部収容空間
１５    コンテナ蓋部
１５ａ    上面固定環
１５ｂ    下面固定環
１６    注入液流入ポート
１６ａ    保護壁体
１６ｂ    流入ポートカバー
１７    掛止環
１８    第１水位調節ポート
１９    注入液流出ポート
２０    攪拌手段
２１    第１攪拌体
２２    上部環
２３    下部環
２５    第２攪拌体
２６    上部環
２７    下部環
３０    振動感知栓
３１    連結紐
４０    注入液濾過フィルター
４１    フィルターハウジング
４２    フィルター流入管部
４３    フィルター流出管部
４４    第２水位調節ポート
４５    注入液濾過材
５０、２５０    注入液水位調節管
５１、２５１    分岐連結管
５２、２５２  分岐管
５２ａ    連結管部
５２ｂ    第１分岐管部
５３、２５３    第１連結チューブ
５４、２５４    第１連結チューブクランプ
５５    空気濾過フィルター
５５ａ    フィルターハウジング
５６    空気濾過材
５７    スリットアダプター
５７ａ    分岐管連結部
５７ｂ    カバー締結部
５７ｃ    空気入出孔
５８    開放スリット
５９    空気調節栓
５９ａ    栓本体
５９ｂ    開閉突起
６０    ベローズ継手
７０    ガイドチューブ
７１    液滴管
７２    注射針
７３    延長チューブ
７４    注入流量調節弁
１３０    膨張管
１３１    膨張管流入管部
１３２    膨張管流出管部
１３３    第３水位調節ポート
１３５    栓収容空間
２５５    第２連結チューブ
２５６    第２連結チューブクランプ
４００    据置台
４１０    受け台
４１１    移動キャスター
４２０    垂直延長支持台
４３０    水平支持部
４４０    中間固定バー
４４１    水平支持台部
４４２    支持台固定部
４４５    ベローズ継手固定部
【図１】
2019517897.tif 000003
【図２】
2019517897.tif 000004
【図３】
2019517897.tif 000005
【図４（ａ）】
2019517897.tif 000006
【図４（ｂ）】
2019517897.tif 000007
【図４（ｃ）】
2019517897.tif 000008
【図５（ａ）】
2019517897.tif 000009
【図５（ｂ）】
2019517897.tif 000010
【図６】
2019517897.tif 000011
【図７】
2019517897.tif 000012
【図８（ａ）】
2019517897.tif 000013
【図８（ｂ）】
2019517897.tif 000014
【図９（ａ）】
2019517897.tif 000015
【図９（ｂ）】
2019517897.tif 000016
【図９（ｃ）】
2019517897.tif 000017
【図９（ｄ）】
2019517897.tif 000018
【図１０】
2019517897.tif 000019
【図１１】
2019517897.tif 000020
【図１２】
2019517897.tif 000021
【図１３】
2019517897.tif 000022
【図１４】
2019517897.tif 000023
【図１５（ａ）】
2019517897.tif 000024
【図１５（ｂ）】
2019517897.tif 000025
【図１６（ａ）】
2019517897.tif 000026
【図１６（ｂ）】
2019517897.tif 000027
【図１６（ｃ）】
2019517897.tif 000028
【図１７】
2019517897.tif 000029
【手続補正書】
【提出日】平成30年11月21日(2018.11.21)
【手続補正１】
【補正対象書類名】特許請求の範囲
【補正対象項目名】請求項３
【補正方法】変更
【補正の内容】
【請求項３】
前記分岐連結管は、
前記第１水位調節ポートと前記スリットアダプターとを連結する連結管部から、前記第２水位調節ポートを連結するように第１分岐管部が延長形成される分岐管と、
前記分岐管の第１分岐管部と前記注入液濾過フィルターの第２水位調節ポートとを連結する第１連結チューブとを含む、請求項２に記載の医療用注入装置。
【手続補正２】
【補正対象書類名】特許請求の範囲
【補正対象項目名】請求項４
【補正方法】変更
【補正の内容】
【請求項４】
前記第１連結チューブは、柔軟性材質からなり、
前記第１連結チューブ上に備えられ、前記第１連結チューブを加圧して内部流路の断面積の大きさを調節する第１連結チューブクランプをさらに含む、請求項３に記載の医療用注入装置。
【手続補正３】
【補正対象書類名】特許請求の範囲
【補正対象項目名】請求項１２
【補正方法】変更
【補正の内容】
【請求項１２】
前記振動感知栓は、下部の重量が上部の重量よりもさらに大きく、少なくとも下部は前記注入液流出ポートを閉鎖するように曲面部からなる、請求項１０に記載の医療用注入装置。
【手続補正４】
【補正対象書類名】明細書
【補正対象項目名】０００５
【補正方法】変更
【補正の内容】
【０００５】
現在、病院で簡単に使用可能な細胞は、脂肪組織を採取し、これを酵素処理した後に得られる間質血管分画細胞（ＳＶＦ  Ｃｅｌｌｓ、Ｓｔｒｏｍａｌ  Ｖａｓｃｕｌａｒ  Ｆｒａｃｔｉｏｎ  Ｃｅｌｌｓ）、間質血管分画細胞をもう一度精製した後に得られる脂肪由来幹細胞（ＡＤＳＣｓ、Ａｄｉｐｏｓｅ  Ｄｅｒｉｖｅｄ  Ｓｔｅｍ  Ｃｅｌｌｓ）、骨髄から骨髄液を抽出した後に培養過程を経て得られる骨髄由来の中間葉−幹細胞（ＢＭＭＳＣｓ、Ｂｏｎｅ  Ｍａｒｒｏｗ−ｄｅｒｉｖｅｄ  Ｍｅｓｅｎｃｈｙｍａｌ  Ｓｔｅｍ  Ｃｅｌｌｓ）などに区分することができる。
【手続補正５】
【補正対象書類名】明細書
【補正対象項目名】００１７
【補正方法】変更
【補正の内容】
【００１７】
また、前記分岐連結管は、前記第１水位調節ポートと前記スリットアダプターとを連結する連結管部から、前記第２水位調節ポートを連結するように第１分岐管部が延長形成される分岐管と、前記分岐管の第１分岐管部と前記注入液濾過フィルターの第２水位調節ポートとを連結する第１連結チューブとを含むことができる。
【手続補正６】
【補正対象書類名】明細書
【補正対象項目名】００１８
【補正方法】変更
【補正の内容】
【００１８】
また、前記第１連結チューブは、柔軟性材質からなり、前記第１連結チューブ上に備えられ、前記第１連結チューブを加圧して内部流路の断面積の大きさを調節する第１連結チューブクランプをさらに含んで構成できる。
【手続補正７】
【補正対象書類名】明細書
【補正対象項目名】００２７
【補正方法】変更
【補正の内容】
【００２７】
また、前記振動感知栓は、下部の重量が上部の重量よりもさらに大きく、少なくとも下部は前記注入液流出ポートを閉鎖するように曲面部からなることが好ましい。
【手続補正８】
【補正対象書類名】明細書
【補正対象項目名】００４３
【補正方法】変更
【補正の内容】
【００４３】
【図１】本発明の第１実施形態に係る医療用注入装置の部分断面斜視図である。
【図２】図１の医療用注入装置の正断面図である。
【図３】図２のコンテナを拡大して示す正断面図である。
【図４】（ａ）乃至（ｃ）は図３のコンテナを振動させて注入液を攪拌させる過程を示す正断面図である。
【図５】（ａ）および（ｂ）は図３の振動感知栓に対するそれぞれの変形例を示す正断面図である。
【図６】図２の注入液濾過フィルターを拡大して示す側断面図である。
【図７】図２の注入液水位調節管を分解して示す正断面図である。
【図８】（ａ）および（ｂ）は図７の空気調節栓の締結状態による空気入出孔の開放および閉鎖状態を示す部分切開斜視図である。
【図９】（ａ）乃至（ｄ）は図２の注入液水位調節管を介してコンテナおよび注入液濾過フィルター内部の注入液水位調節過程を示す正断面図である。
【図１０】本発明の第２実施形態に係る医療用注入装置の斜視図である。
【図１１】図１０において一点鎖線XIの範囲で膨張管を拡大して示す正断面図である。
【図１２】本発明の第３実施形態に係る医療用注入装置の斜視図である。
【図１３】図１０の注入液水位調節管を拡大して示す正断面図である。
【図１４】本発明の第４実施形態に係る医療用注入装置の正断面図である。
【図１５】図１４の中間固定バーを示す平面図である。
【図１６】（ａ）乃至（ｃ）は図１５の中間固定バーに対するそれぞれの変形例を示す平面図である。
【図１７】（ａ）および（ｂ）は図１４の据置台を用いて医療用注入装置を据え置いた状態で注入液攪拌のために注入装置を振動させた状態を示す正断面図である。
【手続補正９】
【補正対象書類名】明細書
【補正対象項目名】００６２
【補正方法】変更
【補正の内容】
【００６２】
本実施形態において、前記攪拌手段２０は、前記コンテナ蓋部１５の下面固定環１５ｂに掛かって延長結合される第１攪拌体２１と、前記第１攪拌体２１の下部に掛かって延長結合される第２攪拌体２５とを含んで構成されることを例示する。
【手続補正１０】
【補正対象書類名】明細書
【補正対象項目名】００６４
【補正方法】変更
【補正の内容】
【００６４】
前記第１攪拌体２１は、上部環２２がコンテナ蓋部１５の下面固定環１５ｂに自由運動可能に掛かって連結され、第２攪拌体２５の上部環２６が再び前記第１攪拌体２１の下部環２３に自由運動可能に掛かって連結される。
【手続補正１１】
【補正対象書類名】明細書
【補正対象項目名】００６７
【補正方法】変更
【補正の内容】
【００６７】
図４に示すように、コンテナ１０に外力（ユーザーが振ることにより、或いは振動装置により発生した力）が加えられたとき、コンテナ１０が揺動しながら振り子運動または歳差運動を行う。
【手続補正１２】
【補正対象書類名】明細書
【補正対象項目名】００７０
【補正方法】変更
【補正の内容】
【００７０】
このように、第１攪拌体２１の下部環２３が上部環２２よりもさらに大きく、前記第２攪拌体２５の上部環２６は下部環２７よりもさらに大きく形成することにより、最終的には、前記第１攪拌体２１は下部が上部よりもさらに重く、前記第２攪拌体２５は上部が下部よりもさらに重く形成するようにする。
【手続補正１３】
【補正対象書類名】明細書
【補正対象項目名】００７４
【補正方法】変更
【補正の内容】
【００７４】
一方、目的物質中の幹細胞は、コンテナ１０内で沈降しようとする性質が強く、コンテナ１０の注入液流出ポート１９近くの内壁に吸着、凝固することができる。よって、コンテナ１０の下部に行くほど幹細胞の濃度は増加し、特に注入液流出ポート１９近くの内壁で凝固現象が多く発生する。
【手続補正１４】
【補正対象書類名】明細書
【補正対象項目名】００７５
【補正方法】変更
【補正の内容】
【００７５】
本実施形態の攪拌手段２０における第１攪拌体２１の下部環２３と第２攪拌体２５の上部環２６は、水平方向が主となる振り子運動と歳差運動を安定的に行うため、コンテナ１０の中間部に方向性のある対流現象を発生させることができ、前述した対流現象によって注入液全般にわたって攪拌が起こる。
【手続補正１５】
【補正対象書類名】明細書
【補正対象項目名】００７８
【補正方法】変更
【補正の内容】
【００７８】
したがって、前述した攪拌手段２０は、コンテナ１０の下部に行くほど幹細胞の濃度は増加して注入液流出ポート１９近くの内側傾斜壁面から凝固現象が多く発生し、注入液流出ポート１９に向かって断面縮小部が形成されるコンテナ１０を適用した医療用注入装置１００に非常に適している。
【手続補正１６】
【補正対象書類名】明細書
【補正対象項目名】００８３
【補正方法】変更
【補正の内容】
【００８３】
本実施形態において、振動感知栓３０は、略断面円形の球面体からなり、内側下部に偏心錘を設置して下部が上部よりもさらに重く形成されることを例示する。
【手続補正１７】
【補正対象書類名】明細書
【補正対象項目名】０１１９
【補正方法】変更
【補正の内容】
【０１１９】
スリットアダプター５７は、空気入出孔５７ｃを形成するように略中空円筒状をし、下側端部が前記分岐連結管５１の連結管部５２ａの上側開放端部に挿入されて延長結合されるように分岐管連結部５７ａが形成され、上側端部には、空気調節栓５９が螺合される側壁面に沿って少なくとも一つ以上で切開形成された開放スリット５８を持つようにカバー締結部５７ｂが形成される。
【手続補正１８】
【補正対象書類名】明細書
【補正対象項目名】０１２８
【補正方法】変更
【補正の内容】
【０１２８】
まず、図９の（ａ）および（ｂ）に示すように、本実施形態のガイドチューブ７０の注入流量調節弁７４と第１連結チューブクランプ５４を全て閉じた状態で、注射器９０または連結管（図示せず）を用いて前記コンテナ１０の注入液流出ポート１９を介して目的物質を含む注入液を注入することにより、コンテナ１０の内部に満たす。
【手続補正１９】
【補正対象書類名】明細書
【補正対象項目名】０１３４
【補正方法】変更
【補正の内容】
【０１３４】
その次、第１連結チューブクランプ５４を開放した状態で、手でコンテナ１０を振りながら、前述した第１攪拌体２１および第２攪拌体２５と一緒に振動感知栓３０を振り子運動または歳差運動させ、開放された注入液流出ポート１９を介して攪拌状態の注入液を連続的に流せば、注入液濾過フィルター４０の上側に満ちていた空気が第１連結チューブ５３を介して排出されながら、空気が抜け出した注入液濾過フィルター４０の内部上側空間が、コンテナ１０から流れ下った注入液で全て満たされる。
【手続補正２０】
【補正対象書類名】明細書
【補正対象項目名】０１３５
【補正方法】変更
【補正の内容】
【０１３５】
連続して振りながらコンテナ１０から注入液濾過フィルター４０の内部に注入液が流下し続けるようにすると、注入液は、コンテナ１０と同じ高さの水位になるまで第１連結チューブ５３内に満ちてくる。これは、注入液水位調節管５０の分岐連結管５１を介して前記コンテナ１０の第１水位調節ポート１８と前記注入液濾過フィルター４０の第２水位調節ポート４４を同時に連結して同一開放状態を維持しているからである。
【手続補正２１】
【補正対象書類名】明細書
【補正対象項目名】０１４１
【補正方法】変更
【補正の内容】
【０１４１】
図１０は本発明の第２実施形態に係る医療用注入装置の斜視図、図１１は図１０において一点鎖線XIの範囲で膨張管を拡大して示す正断面図である。
【手続補正２２】
【補正対象書類名】明細書
【補正対象項目名】０１４３
【補正方法】変更
【補正の内容】
【０１４３】
ここで、膨張管１３０は、中心部に振動感知栓３０を入れて収容するための栓収容空間１３５をもって形成され、上側に注入液流出ポート１９を挿入して連結される膨張管流入管部１３１が形成され、下側には注入液濾過フィルター４０のフィルター流入管部４２に連結される膨張管流出管部１３２が形成される。
【手続補正２３】
【補正対象書類名】明細書
【補正対象項目名】０１４７
【補正方法】変更
【補正の内容】
【０１４７】
一方、本実施形態の医療用注入装置２００は、注入液をコンテナ１０の注入液流入ポート１６を介して注入する初期段階で、注入液がコンテナ１０の注入液流出ポート１９を介して膨張管１３０に流下し、振動感知栓３０によって膨張管流出管部１３２が閉鎖された膨張管１３０の内部を満たした後、コンテナ１０の内部に満ちてくることを除いて、図９と同様の過程を経て、注入液水位調節管５０を介してコンテナ１０および注入液濾過フィルター４０の内部に満たされた注入液の水位およびこれによる注入液の注入速度を調節することができるようにする。
【手続補正２４】
【補正対象書類名】明細書
【補正対象項目名】０１６６
【補正方法】変更
【補正の内容】
【０１６６】
図９に示すように、注入液濾過フィルター４０の内部に注入液が所定の水位に満たされるように調節した後、手動でまたは前記振動装置を用いてコンテナ１０に振動を加えて注入液が連続的に攪拌されながら注入されるようにする。
【手続補正２５】
【補正対象書類名】図面
【補正対象項目名】図８
【補正方法】変更
【補正の内容】
【図８】
2019517897.tif 000030
【手続補正２６】
【補正対象書類名】図面
【補正対象項目名】図１０
【補正方法】変更
【補正の内容】
【図１０】
2019517897.tif 000031
【手続補正書】
【提出日】平成30年11月26日(2018.11.26)
【手続補正１】
【補正対象書類名】明細書
【補正対象項目名】００８５
【補正方法】変更
【補正の内容】
【００８５】
また、振動感知栓３０の重心が下側に位置するように構成することにより、即ち、上部よりも重量が大きい下部が形成され、注入液流出ポート１９の開放のために揺動させる過程で、まるで起きあがりこぼしの如く転倒せずに常に起立形状を維持しながら注入液流出ポート１９の開閉動作を行うことができるようにする。これのために、少なくとも前記振動感知栓３０の下部は、曲面部に形成される。
【手続補正２】
【補正対象書類名】明細書
【補正対象項目名】０１２３
【補正方法】変更
【補正の内容】
【０１２３】
ここで、前記空気濾過フィルター５５は、前記スリットアダプター５７と前記分岐連結管５１との間を連結し、空気入出孔５７ｃを形成する中空円筒状のフィルターハウジング５５ａと、前記フィルターハウジング５５ａ内に備えられ、空気入出孔５７ｃを介して流入する空気を濾過させるための空気濾過材５６とから構成される。前記スリットアダプター５７は、前記空気濾過フィルター５５と一体に形成される。
【手続補正３】
【補正対象書類名】明細書
【補正対象項目名】０１４３
【補正方法】変更
【補正の内容】
【０１４３】
ここで、膨張管１３０は、中心部に振動感知栓３０を入れて収容するための栓収容空間１３５をもって形成され、上側に注入液流出ポート１９を挿入して連結される膨張管流入管部１３１が形成され、下側には注入液濾過フィルター４０のフィルター流入管部４２に連結される膨張管流出管部１３２が形成される。前記膨張管１３０は、その長さ方向の中心部から、内部流路の拡張された断面積を有する。
【手続補正４】
【補正対象書類名】明細書
【補正対象項目名】０１４４
【補正方法】変更
【補正の内容】
【０１４４】
したがって、注入液を攪拌させるためにコンテナ１０に外力が加えられて振動が発生すると、注入液流出ポート１９を介して膨張管１３０にまで振動が伝達され、栓収容空間１３５内に収納された振動感知栓３０が揺動し、注入液濾過フィルター４０に連結される下部注入液流路である膨張管流出管部１３２の流出ポートを繰り返し開閉する。
【手続補正５】
【補正対象書類名】明細書
【補正対象項目名】０１５０
【補正方法】変更
【補正の内容】
【０１５０】
したがって、本実施形態の注入液水位調節管２５０の分岐連結管２５１は、前記第１水位調節ポート１８と前記分岐連結管２５１の上側開放上端部に結合される前記スリットアダプター５７とを連結する連結管部から、前述した第２水位調節ポート４４と前記第３水位調節ポート１３３を連結するように第２分岐管部が分岐して延長形成されるように分岐管２５２を含む。前記空気調節栓５９は、前記スリットアダプター５７の空気流入スリット形成端部に結合され、前記空気流入スリットの開度を調節する。
【手続補正６】
【補正対象書類名】明細書
【補正対象項目名】０１５７
【補正方法】変更
【補正の内容】
【０１５７】
ここで、前記据置台４００は、公知の従来の医療用据置台と同様に垂直延長支持台４２０が移動キャスター４１１を有する受け台４１０から垂直延長されるように固定設置され、垂直延長支持台４２０の上側端部には、前記掛止環１７を用いて医療用注入装置１の前記コンテナ１０を掛けて固定することができるように水平支持部４３０が折曲形成される。
【国際調査報告】
2019517897.tif 000032
2019517897.tif 000033
2019517897.tif 000034
2019517897.tif 000035